(57)【要約】【課題】螺旋状の空気案内部材の取付作業ないし取外作業を極めて容易かつ迅速に実施することができるような地中設置式熱交換器を提供すること。【解決手段】本発明は、地中に埋設されて地中熱に対する熱媒の熱交換を実施する地中設置式熱交換器であって、熱媒としての空気が流通する空気流通管路と、前記空気流通管路の一端側に開口する空気流入口と、前記空気流通管路の他端側に開口する空気流出口と、前記空気流通管路の内部の少なくとも一部に設けられた螺旋状の空気案内部材と、を備え、前記螺旋状の空気案内部材は、内部に充填される気体の量に応じて膨張ないし収縮が自在なゴムチューブからなることを特徴とする地中設置式熱交換器である。【選択図】図２
2015034664.tif 000002
【特許請求の範囲】
【請求項１】
地中に埋設されて地中熱に対する熱媒の熱交換を実施する地中設置式熱交換器であって、
熱媒としての空気が流通する空気流通管路と、
前記空気流通管路の一端側に開口する空気流入口と、
前記空気流通管路の他端側に開口する空気流出口と、
前記空気流通管路の内部の少なくとも一部に設けられた螺旋状の空気案内部材と、
を備え、
前記螺旋状の空気案内部材は、内部に充填される気体の量に応じて膨張ないし収縮が自在なゴムチューブからなる
ことを特徴とする地中設置式熱交換器。
【請求項２】
前記螺旋状の空気案内部材は、前記空気流通管路の内部において揺動可能に設置されている
ことを特徴とする請求項１に記載の地中設置式熱交換器。
【請求項３】
前記空気流通管路は、同軸二重に配置された内側管と外側管との間の空間によって形成された断面環状の管路を有しており、
前記螺旋状の空気案内部材は、前記断面環状の管路内に設けられている
ことを特徴とする請求項１または２に記載の地中設置式熱交換器。
【請求項４】
前記内側管は、樹脂製であり、
前記外側管は、金属製である
ことを特徴とする請求項３に記載の地中設置式熱交換器。
【請求項５】
前記螺旋状の空気案内部材には、前記内側管に面する側に螺旋状の剛性部材が取り付けられている
ことを特徴とする請求項３または４に記載の地中設置式熱交換器。
【請求項６】
前記剛性部材は、ステンレス鋼線である
ことを特徴とする請求項５に記載の地中設置式熱交換器。
【請求項７】
前記螺旋状の空気案内部材には、前記外側管に面する側に略鉛直直線状の案内操作部材が取り付けられている
ことを特徴とする請求項３乃至６のいずれかに記載の地中設置式熱交換器。
【請求項８】
前記案内操作部材は、ワイヤーロープである
ことを特徴とする請求項７に記載の地中設置式熱交換器。
【請求項９】
前記案内操作部材の下端部には、錘が取り付けられている
ことを特徴とする請求項７または８に記載の地中設置式熱交換器。
【請求項１０】
同軸二重に配置された内側管と外側管との間の空間によって形成された断面環状の空気流通管路を有する地中設置式熱交換器、のために用いられる螺旋状の空気案内部材であって、
内部に充填される空気量に応じて膨張ないし収縮が自在なゴムチューブからなり、
前記断面環状の管路内に配置される際に内側管に面する側に、螺旋状の剛性部材が取り付けられており、
前記断面環状の管路内に配置される際に外側管に面する側に、略鉛直直線状の案内操作部材が取り付けられている
ことを特徴とする螺旋状の空気案内部材。
【請求項１１】
前記案内操作部材の下端部には、錘が取り付けられている
ことを特徴とする請求項１０に記載の螺旋状の空気案内部材。
【発明の詳細な説明】
【技術分野】
【０００１】
本発明は、地中に埋設されて地中熱に対する熱媒の熱交換を実施する地中設置式熱交換器に関する。また、本発明は、地中に埋設されて地中熱に対する熱媒の熱交換を実施する地中設置式熱交換器の熱交換効率向上のために用いられる螺旋状の空気案内部材に関する。
【背景技術】
【０００２】
深さ４ｍ以上の地中では、年間を通して、温度がほぼ一定である。このことを利用して、地中熱に対する熱媒の熱交換を実施する地中設置式熱交換器が利用されている。
【０００３】
一般的には、熱媒として空気が用いられ、地中設置式熱交換器は当該空気が流通する空気流通管路を備えている。空気流通管路は、地中の深層部において折り返されるようになっており、例えば地上において空気流通管路に導入された空気は、地中の深層部において熱交換した後、再び地上に戻ってくるようになっている。
【０００４】
熱交換効率を上げるために、熱媒としての空気が地中熱と十分に熱交換するように、特開２００７−１０２７６（特許文献１）に開示された地中熱交換器では、空気流通管路の往路部分（地中に下りていく部分）が、樹脂によって渦巻き状に形成されている。
【先行技術文献】
【特許文献】
【０００５】
【特許文献１】特開２００７−１０２７６号
【発明の概要】
【発明が解決しようとする課題】
【０００６】
渦巻き状の管路は、鉛直直線状の管路と比較して、熱媒である空気の管路内の通過時間（滞留時間）が長いため、地中熱と十分に熱交換することが期待できる。
【０００７】
しかしながら、特許文献１に記載された地中熱交換器では、往路部分を渦巻き状に形成する必要のために、材料が加工性の良い樹脂等に限られてしまい、金属のように熱伝導率の良い材料を採用することができない。また、地中熱交換器の設置面積が大きいために、掘削面積も大きくなって、施工コストが高いという不都合もある。更に、地中熱交換器の構成が複雑であるために、メンテナンス性も良くない。
【０００８】
本件発明者は、本発明に先立って、特願２０１３−１０７３８８に開示された地中設置式熱交換器を開発した。それによれば、高い熱交換効率を実現しながらも、金属のように熱伝導率の良い材料を採用することができ、施工コストが抑えられ、メンテナンス性にも優れた地中設置式熱交換器を提供することができる。
【０００９】
しかしながら、熱媒としての空気が流通する空気流通管路を同軸二重に配置された内側管と外側管との間の空間によって形成して、螺旋状の空気案内部材を当該管路内に設ける場合、図７（特願２０１３−１０７３８８の図２）に示すように、螺旋状の空気案内部材１２５の取付作業ないし取外作業を実施するためには、内側管１２２の上方から空気ダクト１２９を退避させる必要がある。螺旋状の空気案内部材の取外作業は、例えば当該管路内の清掃ないし水抜を実施する場合に必要である。
【００１０】
前記のような空気ダクト１２９の退避作業を省略することができれば、螺旋状の空気案内部材の取付作業ないし取外作業を極めて容易かつ迅速に実施することができる。
【００１１】
本発明は、以上の知見に基づいて創案されたものである。本発明の目的は、螺旋状の空気案内部材の取付作業ないし取外作業を極めて容易かつ迅速に実施することができるような地中設置式熱交換器を提供することである。また、本発明の目的は、取付作業ないし取外作業を極めて容易かつ迅速に実施することができるような地中設置式熱交換器用の螺旋状の空気案内部材を提供することである。
【課題を解決するための手段】
【００１２】
本発明は、地中に埋設されて地中熱に対する熱媒の熱交換を実施する地中設置式熱交換器であって、熱媒としての空気が流通する空気流通管路と、前記空気流通管路の一端側に開口する空気流入口と、前記空気流通管路の他端側に開口する空気流出口と、前記空気流通管路の内部の少なくとも一部に設けられた螺旋状の空気案内部材と、を備え、前記螺旋状の空気案内部材は、内部に充填される気体の量に応じて膨張ないし収縮が自在なゴムチューブからなることを特徴とする地中設置式熱交換器である。
【００１３】
本発明によれば、空気流通管路自体の形状を螺旋状とするのでは無く、空気流通管路の内部の少なくとも一部に螺旋状の空気案内部材を設けることにより、空気流通管路の内部の空気流路の少なくとも一部を螺旋状とすることにより、空気の管路内の通過時間（滞留時間）を長くして地中熱と十分に熱交換させることが可能であり、すなわち、高い熱交換効率を実現することが可能である一方、金属のように熱伝導率の良い材料をも採用することができ、施工コストが抑えられ、メンテナンス性にも優れる。
【００１４】
更に、本発明によれば、螺旋状の空気案内部材が内部に充填される気体の量に応じて膨張ないし収縮が自在なゴムチューブからなるため、螺旋状の空気案内部材を収縮させた状態でその取付作業ないし取外作業を実施し、取付後には膨張させて螺旋状の空気案内部材としての機能を十分に発揮させることが可能である。これにより、螺旋状の空気案内部材の取付作業ないし取外作業を極めて容易かつ迅速に実施することができる。
【００１５】
好ましくは、前記螺旋状の空気案内部材は、前記空気流通管路の内部において揺動可能に設置されている。具体的には、例えば螺旋状の空気案内部材の両側縁が空気流通管路の内壁に対してそれぞれ０．５ｃｍ程度の間隙を空けるようにして、螺旋状の空気案内部材が配置され得る。この場合、空気流によって螺旋状の空気案内部材が揺動することにより、乱流が生じて空気の流れが悪くなって、空気の管路内の通過時間（滞留時間）が更に長くなって地中熱と更に十分に熱交換することが可能となる。
【００１６】
なお、本明細書において、螺旋状とは、数学的に定義される滑らかな螺旋曲面状に限定されず、段差を伴う螺旋階段状をも含む用語として理解されるべきである。換言すれば、本発明において、螺旋状の空気案内部材は、滑らかな螺旋曲面状に推移する部分を有していてもよいし、及び／または、段差を伴う螺旋階段状に推移する部分を有していてもよい。
【００１７】
また、螺旋状の空気案内部材の表面には、凹凸が設けられいてもよい。この場合、乱流が生じて空気の流れが悪くなって、空気の管路内の通過時間（滞留時間）が更に長くなって地中熱と更に十分に熱交換することが可能となる。
【００１８】
本発明は、空気流通管路が同軸二重に配置された内側管と外側管との間の空間によって形成された断面環状の管路を有していて、螺旋状の空気案内部材が当該断面環状の管路内に設けられている場合において、特に有効である。このような場合において、内側管の上方から空気ダクトを退避させることなく、螺旋状の空気案内部材の取付作業ないし取外作業を実施することができるため、螺旋状の空気案内部材の取付作業ないし取外作業を極めて容易かつ迅速に実施することができる。例えば、内側管は、樹脂製であり、外側管は、金属製である。
【００１９】
また、この場合において、螺旋状の空気案内部材には、前記内側管に面する側に螺旋状の剛性部材が取り付けられていることが好ましい。そのような剛性部材によって、ゴムチューブからなる螺旋状の空気案内部材は内側管に面する側において螺旋状の形状を維持することができるため、内側管に沿って螺旋状の空気案内部材を取付ないし取外すことが容易である。例えば、剛性部材は、ステンレス鋼線である。
【００２０】
また、この場合において、螺旋状の空気案内部材には、前記外側管に面する側に略鉛直直線状の案内操作部材が取り付けられていることが好ましい。そのような案内操作部材を内側管の周囲に沿って回しながら降下ないし上昇させる操作によって、ゴムチューブからなる螺旋状の空気案内部材を内側管の周囲に沿って降下ないし上昇させることが容易である。例えば、案内操作部材は、ワイヤーロープである。この操作性能を更に高めるために、案内操作部材の下端部に錘が取り付けられていることが好ましい。
【００２１】
あるいは、本発明は、同軸二重に配置された内側管と外側管との間の空間によって形成された断面環状の空気流通管路を有する地中設置式熱交換器、のために用いられる螺旋状の空気案内部材であって、内部に充填される空気量に応じて膨張ないし収縮が自在なゴムチューブからなり、前記断面環状の管路内に配置される際に内側管に面する側に、螺旋状の剛性部材が取り付けられており、前記断面環状の管路内に配置される際に外側管に面する側に、略鉛直状の案内操作部材が取り付けられていることを特徴とする螺旋状の空気案内部材である。
【００２２】
本発明によれば、螺旋状の空気案内部材が内部に充填される気体の量に応じて膨張ないし収縮が自在なゴムチューブからなるため、螺旋状の空気案内部材を収縮させた状態でその取付作業ないし取外作業を実施し、取付後には膨張させて螺旋状の空気案内部材としての機能を十分に発揮させることが可能である。
【００２３】
特に、内側管に面する側に螺旋状の剛性部材が取り付けられていることにより、ゴムチューブからなる螺旋状の空気案内部材は内側管に面する側において螺旋状の形状を維持することができるため、内側管に沿って螺旋状の空気案内部材を取付ないし取外すことが容易である。
【００２４】
更に、外側管に面する側に略鉛直直線状の案内操作部材が取り付けられていることにより、そのような案内操作部材を内側管の周囲に沿って回しながら降下ないし上昇させる操作によって、ゴムチューブからなる螺旋状の空気案内部材を内側管の周囲に沿って降下ないし上昇させることが容易である。この操作性能を更に高めるために、案内操作部材の下端部に錘が取り付けられていることが好ましい。
【発明の効果】
【００２５】
本発明によれば、空気流通管路自体の形状を螺旋状とするのでは無く、空気流通管路の内部の少なくとも一部に螺旋状の空気案内部材を設けることにより、空気流通管路の内部の空気流路の少なくとも一部を螺旋状とすることにより、空気の管路内の通過時間（滞留時間）を長くして地中熱と十分に熱交換させることが可能であり、すなわち、高い熱交換効率を実現することが可能である一方、金属のように熱伝導率の良い材料をも採用することができ、施工コストが抑えられ、メンテナンス性にも優れる。
【００２６】
更に、本発明によれば、螺旋状の空気案内部材が内部に充填される気体の量に応じて膨張ないし収縮が自在なゴムチューブからなるため、螺旋状の空気案内部材を収縮させた状態でその取付作業ないし取外作業を実施し、取付後には膨張させて螺旋状の空気案内部材としての機能を十分に発揮させることが可能である。これにより、螺旋状の空気案内部材の取付作業ないし取外作業を極めて容易かつ迅速に実施することができる。
【図面の簡単な説明】
【００２７】
【図１】本発明の第１の実施の形態の地中設置式熱交換器の概略図であり、（ａ）が平面図、（ｂ）が側断面図である。
【図２】図１の螺旋状の空気案内部材の取付前の状態を示す概略斜視図である。
【図３】図１の螺旋状の空気案内部材の取付作業中の状態を示す概略斜視図である。
【図４】図１の螺旋状の空気案内部材の取付後の状態を示す概略斜視図である。
【図５】本発明の第２の実施の形態の地中設置式熱交換器の概略図であり、（ａ）が平面図、（ｂ）が側断面図である。
【図６】本発明の第３の実施の形態の地中設置式熱交換器の概略図であり、（ａ）が平面図、（ｂ）が側断面図である。
【図７】特願２０１３−１０７３８８の図２である（符号は変更されている）。
【発明を実施するための形態】
【００２８】
以下に、添付の図面を参照して、本発明の実施の形態を詳細に説明する。
【００２９】
図１は、いわゆる同軸二重管型の、本発明の第１の実施の形態の地中設置式熱交換器の概略図である。図１に示すように、本実施の形態の地中設置式熱交換器１０は、地中に埋設されて、地中熱に対して熱媒としての空気の熱交換を実施するようになっている。
【００３０】
そして、図１に示すように、本実施の形態の地中設置式熱交換器１０は、熱媒としての空気が流通する空気流通管路１１と、空気流通管路１１の一端側に開口する空気流入口と、空気流通管路１１の他端側に開口する空気流出口と、を備えている。
【００３１】
空気流通管路１１は、同軸二重に配置された内側管１２と外側管１３との間の空間によって形成された断面環状の管路（往路）１１ａと、内側管１２の内部によって形成された断面円形状の管路（復路）１１ｂと、内側管１２及び外側管１３の下端部における折り返し部１１ｃと、を有している。
【００３２】
断面環状の管路（往路）１１ａの上端部が空気流入口として地上に開口しており、断面円形状の管路（復路）１１ｂの上端部が空気流出口として地上に開口している。また、折り返し部１１ｃにおいて、内側管１２は有底に形成されており、内側管１２の下方側部の４箇所にφ３０の孔１２ｈが設けられ、当該孔を介して断面環状の管路（往路）１１ａから断面円形状の管路（復路）１１ｂに空気が移動するようになっている。
【００３３】
本実施の形態において、内側管１２は樹脂製であり、地中熱との熱交換を担う外側管１３は熱伝導率の高い金属製（例えば耐食性と熱伝導性に優れるアルミ合金製）である。
【００３４】
そして、空気流通管路１１の断面環状の管路（往路）１１ａ内に、螺旋状の空気案内部材１５が設けられている。本実施の形態では、螺旋状の空気案内部材１５は、断面環状の管路（往路）１１ａの全体の領域において設けられて、空気流入口（断面環状の管路（往路）１１ａの上端部）に支持されている。
【００３５】
本実施の形態の螺旋状の空気案内部材１５は、滑らかな螺旋曲面状に形成されており、その両側縁が空気流通管路１１の断面環状の管路（往路）１１ａの各内壁に対してそれぞれ０．５ｃｍ程度の間隙を空けるように、配置されている。これにより、当該断面環状の管路（往路）１１ａを空気流が通過する際に、螺旋状の空気案内部材１５が揺動するようになっている。（もっとも、間隙を空けないように配置することも可能である。）
【００３６】
本実施の形態の内側管１２は、φ３００の断面円形の樹脂製の管によって構成されており、本実施の形態の外側管１３は、φ４００の断面円形の金属製（例えば耐食性と熱伝導性に優れるアルミ合金製）の管によって構成されており、それぞれの管１２、１３の長さは約５ｍである。
【００３７】
その他、空気流出口（断面環状の管路（往路）１１ａの上端部）には、空気ダクト１９が接続され、当該空気ダクト１９は、空調システムの室内吹出口（不図示）に至っている。また、当該空気ダクト１９の内部には、ファンコイル（不図示）が設けられ、空気ダクト１９及び空気流通管路１１内の空気流を駆動できるようになっている。
【００３８】
更に、本実施の形態の空気ダクト１９は、井戸水を用いた補助冷却機構を貫通しており、空気ダクト１９内を通流する空気は当該補助冷却機構によって更に冷却され得るようになっている。
【００３９】
次に、図２乃至図４を参照して、本実施の形態の螺旋状の空気案内部材１５の詳細について説明する。図２乃至図４に示すように、本実施の形態の螺旋状の空気案内部材１５は、内部に充填される空気量に応じて膨張ないし収縮が自在なゴムチューブからなる。
【００４０】
そして、図２に示すように、断面環状の管路内に配置される際に内側管１２に面する側に、螺旋状の剛性部材としてのステンレス鋼線１５ａが取り付けられている。一方、断面環状の管路内に配置される際に外側管１３に面する側に、略鉛直直線状の案内操作部材としてのワイヤーロープ１５ｂが取り付けられている（鉄線等でもよいが、ワイヤーロープが好ましい）。ワイヤーロープ１５ｂの下端部には、錘１５ｃが取り付けられている。１５ｄは、ゴムチューブの栓である。
【００４１】
このような螺旋状の空気案内部材１５は、図３に示すように、ゴムチューブの内部に充填する気体量（通常は空気量）を減少させてゴムチューブをやや収縮させた状態で、ワイヤーロープ１５ｂを内側管１２の周囲に沿って回しながら降下させる操作によって、ゴムチューブからなる螺旋状の空気案内部材１５を内側管１２の周囲に沿って降下させることが容易である。この降下作業は、内側管１２から空気ダクト１９を外すことなく実施することができる。また、この降下作業の操作性能は、ワイヤーロープ１５ｂの下端部に錘１５ｃが取り付けられていることによって高められている。
【００４２】
そして、所定の位置まで螺旋状の空気案内部材１５を降下させた後、図４に示すように、ゴムチューブの内部に充填する気体量を増大させ、ゴムチューブを所定の膨張形状とする。これにより、螺旋状の空気案内部材１５は、所望の設計上の形状となり、空気の管路内の通過時間（滞留時間）を長くして地中熱と十分に熱交換させることが可能であり、すなわち、高い熱交換効率を実現することが可能である。（所望の設計上の形状に基づいて、管路１１ａの各内壁に対する間隙の有無等を調整することが可能である。）
【００４３】
螺旋状の空気案内部材１５を取り外す場合には、ゴムチューブの内部に充填する気体量（通常は空気量）を減少させてゴムチューブをやや収縮させ、ワイヤーロープ１５ｂを内側管１２の周囲に沿って回しながら上昇させる操作によって、ゴムチューブからなる螺旋状の空気案内部材１５を内側管１２の周囲に沿って上昇させて引き抜くことが容易である。この引抜作業は、内側管１２から空気ダクト１９を外すことなく実施することができる。また、この引抜作業の操作性能についても、ワイヤーロープ１５ｂの下端部に錘１５ｃが取り付けられていることによって高められている。
【００４４】
次に、以上のような第１の実施の形態の地中設置式熱交換器１０の作用について説明する。地中設置式熱交換器１０を使用する際、螺旋状の空気案内部材１５は図４の状態になっている。
【００４５】
空気ダクト１９の内部に設けられたファンコイル（不図示）が駆動することによって、当該空気ダクト１９の内部の空気が空調システムの室内吹出口（不図示）に送られ、それに伴って、空気流通管路１１内の空気が空気ダクト１９の内部に送られ、外界の空気が空気流入口としての空気流通管路１１の断面環状の管路（往路）１１ａの上端部から当該断面環状の管路（往路）１１ａ内に導入される。
【００４６】
空気が断面環状の管路（往路）１１ａ内を流通する際、螺旋状の空気案内部材１５の存在により、当該管路１１内を通過する時間（滞留時間）が長くなって、空気は金属製の外側管１３を介して地中熱と十分に熱交換され、夏期においては十分に冷却され、冬期においては十分に加熱される。従って、夏期においては十分に冷却された空気が空気ダクト１９を介して空調システムの室内吹出口（不図示）に送られ、冬期においては十分に加熱された空気が空気ダクト１９を介して空調システムの室内吹出口（不図示）に送られる。
【００４７】
本実施の形態によれば、空気流通管路１１自体の形状を螺旋状とするのでは無く、空気流通管路１１の断面環状の管路（往路）１１ａ内に螺旋状の空気案内部材１５を設けることにより、空気流通管路１１の内部の空気流路の少なくとも一部を螺旋状としている。これにより、空気の管路内の通過時間（滞留時間）、すなわち、空気と地中熱との熱交換時間を長くして、高い熱交換効率を実現している。
【００４８】
また、本実施の形態によれば、空気流通管路１１自体は構造が簡単なため、金属のように熱伝導率の良い材料からも容易に製造することができ、施工コストが抑えられ、メンテナンス性にも優れる。
【００４９】
また、本実施の形態によれば、空気流通管路１１の断面環状の管路（往路）１１ａを空気流が通過する際に、螺旋状の空気案内部材１５が揺動するようになっている。これにより、乱流が生じて空気の流れが悪くなって、空気の管路内の通過時間（滞留時間）が更に長くなって、地中熱と更に十分に熱交換することが可能となっている。
【００５０】
次に、図５は、いわゆる同軸二重管型の、本発明の第２の実施の形態の地中設置式熱交換器の概略図である。
【００５１】
本実施の形態の地中設置式熱交換器２０は、滑らかな螺旋曲面状に形成された螺旋状の空気案内部材１５の代わりに、段差を伴う螺旋階段状に形成された螺旋状の空気案内部材２５（ゴムチューブの成形には高い自由度があり十分に可能）を有する点で、第１の実施の形態の地中設置式熱交換器１０と異なっている。２５ｂは、ワイヤーロープである（鉄線等でもよいが、ワイヤーロープが好ましい）。
【００５２】
その他の構成は、第１の実施の形態の地中設置式熱交換器１０と同様である。図５において、第１の実施の形態と同様の構成部分には同様の符号を付し、その詳細な説明は省略する。
【００５３】
本実施の形態によっても、第１の実施の形態と略同様の作用効果が得られる。すなわち、空気の管路内の通過時間（滞留時間）、すなわち、空気と地中熱との熱交換時間を長くして、高い熱交換効率を実現することができる。
【００５４】
次に、図６は、いわゆる同軸二重管型の、本発明の第３の実施の形態の地中設置式熱交換器の概略図である。
【００５５】
本実施の形態の地中設置式熱交換器３０は、滑らかな螺旋曲面状に形成された螺旋状の空気案内部材３５〜３８が、１重でなく４重に（４条に）設けられていて、共通のワイヤーロープ３５ｂ（鉄線等でもよいが、ワイヤーロープが好ましい）が取り付けられている点で、第１の実施の形態の地中設置式熱交換器１０と異なっている。
【００５６】
その他の構成は、第１の実施の形態の地中設置式熱交換器１０と同様である。図６において、第１の実施の形態と同様の構成部分には同様の符号を付し、その詳細な説明は省略する。
【００５７】
本実施の形態によっても、第１の実施の形態と略同様の作用効果が得られる。すなわち、空気の管路内の通過時間（滞留時間）、すなわち、空気と地中熱との熱交換時間を長くして、高い熱交換効率を実現することができる。
【００５８】
以上の各実施の形態において、螺旋状の空気案内部材１５、２５、３５、３６、３７、３８の表面には、凹凸が設けられいてもよい。この場合、乱流が生じて空気の流れが悪くなって、空気の管路内の通過時間（滞留時間）が更に長くなって、地中熱と更に十分に熱交換することが可能となる。
【符号の説明】
【００５９】
１０  地中設置式熱交換器
１１  空気流通管路
１１  空気流通管路
１１ａ  断面環状の管路（往路）
１１ｂ  断面円形状の管路（復路）
１１ｃ  折り返し部
１２  内側管
１３  外側管
１５  螺旋状の空気案内部材
１５ａ  螺旋状のステンレス鋼線
１５ｂ  略鉛直直線状のワイヤーロープ
１５ｃ  錘
１５ｄ  栓
１９  空気ダクト
２０  地中設置式熱交換器
２５  螺旋階段状のフィン
２５ｂ  略鉛直直線状のワイヤーロープ
３０  地中設置式熱交換器
３５〜３８  ４重（４条）の螺旋状の空気案内部材
３５ｂ  略鉛直直線状のワイヤーロープ
【図１】
2015034664.tif 000003
【図２】
2015034664.tif 000004
【図３】
2015034664.tif 000005
【図４】
2015034664.tif 000006
【図５】
2015034664.tif 000007
【図６】
2015034664.tif 000008
【図７】
2015034664.tif 000009